(57)【特許請求の範囲】
【請求項１】
ピン送り方式で搬送される連続用紙を切断装置にて所定の長さの単葉シートに切断する連続用紙切断装置において、
切断装置の搬送方向上流側に、搬送方向に駆動する２つのピントラクタを搬送方向に接近してならべ、かつ２つのピントラクタがモータにより同期して駆動するようにしてなる２連構成のピントラクタ装置を配置し、このピントラクタ装置で連続用紙を切断装置に向けて搬送するようにし、
一方のピントラクタの駆動系とモータをクラッチを用いて断続可能にすると共に、モータを停止した状態で一方のピントラクタを手動にて回転可能にし、
モータを停止した状態で、上記一方のピントラクタの駆動系とモータを断とし、この一方のピントラクタを手動にて他のピントラクタに対して連続用紙に張力が作用する方向に回転して上流側のピントラクタの送りピンが連続用紙の送り穴の上流側に接し、下流側のピントラクタの送りピンが連続用紙の送り穴の下流側に接して連続用紙に張力が作用するようにし、この張力の作用状態で一方のピントラクタの駆動系とモータを続にすると共に、モータを駆動して連続用紙を２つのピントラクタで切断装置に向けて搬送するようにした
ことを特徴とする連続用紙切断装置。
【発明の詳細な説明】
【技術分野】
【０００１】
本発明は、ピン送り方式で搬送される連続用紙を切断装置にて所定の長さの単葉シートに切断する連続用紙切断装置に関するものである。
【背景技術】
【０００２】
幅方向両側部に穿孔された送り穴にピントラクタ装置の送りピンを係合させて搬送し、この搬送方向下流側において上記送り穴部をスリッタにて切除し、さらにその下流側で切断装置にてこれの搬送方向に直角な方向に切断して、上記連続用紙から最終的な商品形態としての単葉シートを得るようにした連続用紙切断装置が、専用機としてのカッタ装置や丁合機の最終処理部分などに用いられている（例えば、特許文献１参照）。
【先行技術文献】
【特許文献】
【０００３】
【特許文献１】特開２００１−１１３４９５号公報
【発明の概要】
【発明が解決しようとする課題】
【０００４】
この種の連続用紙切断装置にあっては、切断装置部への連続用紙の搬送は、上記したようにピントラクタ装置にて行われ、このピントラクタ装置による搬送速度に同期して切断装置が作動して、連続用紙は所定の長さに切断されるようになっている。そしてこのときのピントラクタ装置の送りピンと連続用紙の送り穴との関係は、図１（ａ）に示すようになっていて、ピントラクタ装置の送りピンａは、連続用紙ｂの送り穴ｃの下流側縁に当接して連続用紙はこの送りピンａにて搬送されている。
【０００５】
ピントラクタ装置の送りピンａと連続用紙の送り穴ｃの寸法は、送りピンａの径が３．５ｍｍ、送り穴ｃの径が４．０ｍｍであり、ピントラクタ装置の送りピンａを基準にして標準的なピン径と穴径で考えると、送りピンａに対して送り穴ｃが搬送方向に±０．２５ｍｍ移動する可能性があり、上記通常の搬送作用時には図１（ａ）に示すように送りピンａに対して送り穴ｃは０．２５ｍｍ上流側にずれた状態で搬送されている。
【０００６】
ところでこの種の装置にあっては、この装置のピントラクタ装置の上流側にも他のピントラクタ装置があって、この他のピントラクタ装置にて連続用紙が送給されるようになっており、この他のピントラクタ装置による連続用紙の搬送速度が変動することがある。
【０００７】
また、切断装置のピントラクタ装置の下流側の連続用紙には、スリッタや切断装置に関連する搬送力が作用しており、この搬送力の変動により、この下流側での搬送速度が変動することがある。
【０００８】
この場合、上記したようにピントラクタ装置の送りピンａと連続用紙ｂの送り穴ｃの穴径に差があること、及びピントラクタ装置の上流側及び下流側での連続用紙の搬送状態の変動によって、連続用紙はピントラクタ装置内において、このピントラクタ装置の作動タイミングに対して搬送方向に±０．２５ｍｍずれることがある。したがって、ピントラクタ装置の作用タイミングに同期して作動する切断装置による切断位置も、この連続用紙の変動によって搬送方向に±０．２５ｍｍずれる可能性があり、単葉シートの長さが短くなる方向の０．２５ｍｍずれて切断される場合と、長くなる方向に０．２５ｍｍずれて切断される場合があり、この両者を比較すると最大で１ｍｍ（±０．５ｍｍ）の長さの差となって現れる可能性がある。そして実際の丁合機によるサンプル取りの結果としても、ほぼ同様の切断精度であることが確認されている。
【０００９】
このようなことは、切断装置部への連続用紙の送り込み側のみにピントラクタを備えた場合に特に顕著に現れる。
【００１０】
また、図２（ａ）に示すように連続用紙ｂがピントラクタ装置の送りピンａに対して波状に送られる場合と、図２（ｂ）に示すように直線状に送られる場合とで連続用紙ｂの送り量が微少変化することでもカット精度に影響が出てくることになる。
【００１１】
本発明は上記のことに鑑みなされたもので、切断装置の搬送方向上流側にピントラクタ装置を設けた連続用紙切断装置においての切断精度を向上して製品品質を高めることができると共に、生産可能な商品の種類も増加でき、生産性を向上することができるようにした連続用紙切断装置を提供することを目的とするものである。
【課題を解決するための手段】
【００１２】
上記目的を達成するために、本発明に係る連続用紙切断装置は、ピン送り方式で搬送される連続用紙を切断装置にて所定の長さの単葉シートに切断する連続用紙切断装置において、
切断装置の搬送方向上流側に、搬送方向に駆動する２つのピントラクタを搬送方向に接近してならべ、かつ２つのピントラクタがモータにより同期して駆動するようにしてなる２連構成のピントラクタ装置を配置し、このピントラクタ装置で連続用紙を切断装置に向けて搬送するようにし、
一方のピントラクタの駆動系とモータをクラッチを用いて断続可能にすると共に、モータを停止した状態で一方のピントラクタを手動にて回転可能にし、
モータを停止した状態で、上記一方のピントラクタの駆動系とモータを断とし、この一方のピントラクタを手動にて他のピントラクタに対して連続用紙に張力が作用する方向に回転して上流側のピントラクタの送りピンが連続用紙の送り穴の上流側に接し、下流側のピントラクタの送りピンが連続用紙の送り穴の下流側に接して連続用紙に張力が作用するようにし、この張力の作用状態で一方のピントラクタの駆動系とモータを続にすると共に、モータを駆動して連続用紙を２つのピントラクタで切断装置に向けて搬送するようにした構成になっている。
【発明の効果】
【００１３】
本発明によれば、切断装置の搬送方向上流側に２連構成のピントラクタ装置を配置し、このピントラクタ装置を構成する２つのピントラクタ間で連続用紙に張力を作用した状態で連続用紙を切断装置へ搬送することができ、切断装置の搬送方向上流側にピントラクタ装置を設けた連続用紙切断装置においての切断精度を向上して、製品品質を高めることができる。このことにより、生産可能な商品の種類が増加して生産性を向上することができた。
【００１４】
また本発明によれば、ピントラクタを２連に設置するだけの簡単な構成であり、大がかりな装置や、複雑な技術を用いることなく、低コストで従来にない品質向上を得ることができた。
【００１５】
さらに上記２連の各ピントラクタは標準的な構成のものを用いることができ、新規な部品の増加が少なく、また調整やメンテナンスを従来のものと同様に容易に行うことができる。
【００１６】
さらに複数の連続用紙を丁合後に切断する場合に、複数の連続用紙が重なってからでは用紙間の摩擦などにより相互の位置関係の移動が難しい状態となるが、本発明によれば、切断装置の上流側で、上記ピントラクタ装置を各連続用紙ごとに設けることにより、上記複数の連続用紙の丁合後の切断を精度高く行うことができる。
【図面の簡単な説明】
【００１７】
【図１】（ａ），（ｂ）はピントラクタの送りピンと連続用紙の送り穴との関係を示す説明図である。
【図２】（ａ），（ｂ）はピントラクタの送りピンによる連続用紙の送り状態を示す説明図である。
【図３】本発明装置の概略的な構成を示す正面図である。
【図４】本発明装置のピントラクタ部の概略的な構成を示す平面図である。
【図５】複数の連続用紙を丁合して切断する実施例を概略的に示す正面図である。
【発明を実施するための形態】
【００１８】
本発明の実施の形態を図３以下に基づいて説明する。
【００１９】
図３、図４において、１は連続用紙２を所定の長さの単葉シート３に切断する連続用紙切断装置である。連続用紙２の幅方向両側に送り穴４が設けてある。５はこの連続用紙２を間欠的、あるいは連続的に搬送するピントラクタ装置、６はこのピントラクタ装置５の下流側に位置して、連続用紙２の両側の送り穴部を切除するスリッタ、７はこのスリッタ６の下流側に設けられた切断装置であり、上記ピントラクタ装置５による搬送速度に同期して作動するカッタ７ａにて上記単葉シート３に切断するようになっている。切断装置７の下流側にピントラクタ装置５と同期作動する上下一対の送りローラ８が設けてある。
【００２０】
ピントラクタ装置５は、２台のピントラクタ５ａ，５ｂを搬送方向にならべて配置した２連式になっていて、この各ピントラクタ５ａ，５ｂは幅方向両側において、ベルトに多数個の送りピン９を植設してなる通常の構成のものである。
【００２１】
この各ピントラクタ５ａ，５ｂの各駆動軸１０ａ，１０ｂは、それぞれの端部に固着した従動プーリ１１ａ，１１ｂに巻き掛けたタイミングベルト１２にて連動連結されている。このタイミングベルト１２は、駆動源１３にて駆動される駆動プーリ１１ｃに巻き掛けられていて、この駆動源１３により両ピントラクタ５ａ，５ｂが同期回転されるようになっている。
【００２２】
上記ピントラクタ５ａ，５ｂの一方、例えば下流側のピントラクタ５ｂの駆動軸１０ｂの上記従動プーリ１１ｂの内側にクラッチ１４が設けてあり、このクラッチ１４の「断」、「続」により、駆動軸１１ｂに対する駆動源１３の動力が「断」、「続」されるようになっている。そしてこのクラッチ１４を設けた駆動軸１０ｂの他端には、この駆動軸１０ｂを手動にて回転するためのハンドル１５が設けてある。
【００２３】
上記ピントラクタ装置５を駆動する駆動源１３は、上記スリッタ６、切断装置７等を駆動する本機駆動源と同期して駆動する１個の単独モータであってもよく、また本機駆動源に連結して駆動力を得るようにしてもよい。また、各ピントラクタ５ａ，５ｂの駆動軸１０ａ，１０ｂを、それぞれ本機駆動源と同期して連動する単独モータにより駆動する構成としてもよく、同期がとれていれば駆動源１３の配置構成は自由に選択が可能である。
【００２４】
上記構成の連続用紙切断装置１にての連続用紙２の切断作動を以下に説明する。
【００２５】
連続用紙切断装置１に連続用紙２を紙通しした状態で、ピントラクタ装置５の下流側のピントラクタ５ｂの駆動軸１０ｂに設けたクラッチ１４を「断」にし、この駆動軸１０ｂをハンドル１５にて、送りピン９が紙送り方向に移動する方向に回転する。この状態で、図４に示すようになり、下流側のピントラクタ５ｂの送りピン９は、連続用紙１の送り穴４内でこれの下流側に当接して、連続用紙１はこの送りピン９にて下流側へ付勢される。このとき、上流側のピントラクタ５ａは停止しているので、上流側のピントラクタ５ａの送りピン２９は、送り穴４内の上流側に当接される。
【００２６】
したがって、クラッチ１４が「断」状態で、駆動軸１０ｂを回転して送りピン９を搬送方向に移動することにより、ピントラクタ装置５内での連続用紙２は、両ピントラクタ５ａ，５ｂ間において張力が作用される。
【００２７】
ついで、クラッチ１４を「続」にして下流側のピントラクタ５ｂの駆動軸１０ｂを駆動源１４に接続し、この状態で連続用紙切断装置２を駆動すると、ピントラクタ装置５内での連続用紙２は、常時両ピントラクタ５ａ，５ｂ間で張力が作用した状態で、すなわち両ピントラクタ５ａ，５ｂの送りピン９と送り穴４間に遊びがない状態で搬送される。
【００２８】
このようにしてピントラクタ装置５にて搬送された連続用紙２は、このピントラクタ装置５と同期作動するスリッタ６にて両側の送り穴部が切除され、ついで切断装置７にて単葉シート３に切断される。このとき、切断装置７による切断前の連続用紙２は、切断装置７の下流側に位置する送りローラ８にてけん引される。このときの送りローラ８は、上記ピントラクタ装置５の搬送速度よりわずかに速い周速度で回転されている。
【００２９】
上記作用において、ピントラクタ装置５より上流側の連続用紙２に搬送速度に変動や波打ちがあっても、ピントラクタ装置５において直線状に引き伸ばされることで、ピントラクタ装置５の搬送速度と連続用紙２の走行量との誤差をなくすことができ、連続用紙２はこのピントラクタ装置５から切断装置７へ、このピントラクタ装置５の搬送速度による一定の速度で搬送され、このピントラクタ装置５と同期して作動する切断装置７にて、上記送りピン９と送り穴４の遊びによる誤差が生じることなく一定の長さに切断される。そしてこのときの単葉シート３の切断精度は、±０．２ｍｍ以上に向上し、製品品質を高めることができた。
【００３０】
なお、切断装置７より下流側に設けた送りローラ８は、上記ピントラクタ装置５の搬送速度よりわずかに速い搬送速度となっていて、ピントラクタ装置５より下流で切断前の連続用紙２は、この送りローラにてけん引される。
【００３１】
この実施の形態では、切断装置５の下流側にのみ送りローラ８を配置した例を示したが、図３にて２点斜線で示したように、切断装置７の上流側にも上記切断装置７の下流側に設けた送りローラ８と同期回転する他の送りローラ８ａを配置してもよく、この場合の切断作動は、送りローラを切断装置７の下流側だけを設けた場合と同じである。また、スリッタ６を用いない場合も同様である。
【００３２】
上記実施の形態では、ピントラクタ装置５の下流側のピントラクタ５ｂの駆動軸１０ｂにクラッチ１４を設けた例を示したが、図４にて鎖線で示したように、上流側のピントラクタ５ａの駆動軸１０ａにクラッチ１４′を設けてもよく、この場合はクラッチ断状態で、駆動軸１０ａを送りピン９が上流側へ移動するように上流側の駆動軸１０ａに取り付けたハンドル１５′にて回転する。
【００３３】
上記クラッチ１４は、ねじを締めつけて固定する機械的な構成のものや、機械的な連結方式のものでもよいし、電気や磁力により作動するようにしたものでもよい。
【００３４】
図５は、複数（２枚）の連続用紙２，２を積層丁合しながらシート状に切断装置７にて切断する場合を示すもので、各連続用紙ごとに２連式のピントラクタ装置５，５を用いている。
【符号の説明】
【００３５】
１…連続用紙切断装置、２…連続用紙、３…単葉シート、４…送り穴、５…ピントラクタ装置、５ａ，５ｂ…ピントラクタ、６…スリッタ、７…切断装置、７ａ…カッタ、８，８ａ…送りローラ、９…送りピン、１０ａ，１０ｂ…駆動軸、１１ａ，１１ｂ…プーリ、１２…タイミングベルト、１３…駆動源、１４，１４′…クラッチ、１５，１５′…ハンドル。
【図１】
0005380188.tif 000002
【図２】
0005380188.tif 000003
【図３】
0005380188.tif 000004
【図４】
0005380188.tif 000005
【図５】
0005380188.tif 000006